【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
電子メッセージングプロトコルに従って処理しようとする第１欄と第２欄のメッセージに発信者と受信者をそれぞれ特定する情報を挿入するステップと、
添付ファイルに関連している第３欄のメッセージに前記添付者の固有の属性を挿入するステップと、
から構成され、前記メッセージは添付者からの添付ファイルを有し、前記メッセージ内において前記添付ファイルは前記第１欄、第２欄および第３欄の外にあることを特徴とする方法。
【請求項２】
前記発信者と前記添付者に関する前記情報が挿入された前記メッセージを、前記メッセージングプロトコルにより前記メッセージ受け取ったエンドユーザに提示するステップをさらに有することを特徴とする請求項１に記載の方法。
【請求項３】
前記電子メッセージングプロトコルは電子メールプロトコルであることを特徴とする請求項１に記載の方法。
【請求項４】
メッセージングプロトコルにしたがって送り届けようとするメッセージに添付ファイルを挿入するステップと、
（ｉ）発信者を特定する第１欄の前記メッセージと、(ii)前記添付ファイルを挿入するよう要求した添付者を特定し、前記添付ファイルに関連した第２欄のメッセージと、（iii）前記メッセージの受信者を特定する第３欄のメッセージを記入するステップと、
から構成され、前記添付ファイルは前記メッセージ内において第１欄、第２欄および第３欄の外にあることを特徴とする機械で実施する通信のための方法。
【請求項５】
前記添付ファイルと記入した前記第１欄、第２欄、第３欄を含む前記メッセージを１つ以上のルータで相互接続された複数のネットワーク内のノードからなるメッセージ転送エージェントに送るステップをさらに有することを特徴とする請求項４に記載の方法。
【請求項６】
前記挿入するステップ、記入するステップ、送るステップを（ａ）発信元ユーザエージェントと、（ｂ）発信者のクライアントプログラムのいずれかによって実行することを特徴とする請求項５に記載の方法。
【請求項７】
前記メッセージは１つ以上の先行発信者を特定する情報を含む転送メッセージとして作成されることを特徴とする請求項４に記載の方法。
【請求項８】
前記メッセージは（ｉ）先行発信者からの前記の添付ファイルとは別の添付ファイルと、（ii）前記先行発信者を前記別の添付ファイルを挿入した別の発信者として特定する情報と、
から成ることを特徴とする請求項４に記載の方法。
【請求項９】
１つ以上のルータで相互接続された複数のネットワーク用のメッセージングプロトコルにしたがってメッセージを作成するステップと、
前記作成した前記メッセージをメッセージ転送エージェントへ送るステップと、
から構成され、前記メッセージは（ｉ）添付者からの添付ファイルと（ii）前記メッセージの発信者を特定する（１）と共に別途前記添付者を特定し、前記添付ファイルと添付者を関連づける（２）ヘッダ情報とを有することを特徴とする機械で実施するを通信のための方法。
【請求項１０】
前記メッセージは１つ以上の先行発信者を特定するヘッダ情報を含む転送メッセージとして作成されることを特徴とする請求項９に記載の方法。
【請求項１１】
前記メッセージは、（ｉ）先行発信者からの前記の添付ファイルと（ii）前記別の添付ファイルを挿入した別の発信者として前記先行発信者を別途特定するヘッダ情報とを更に有することを特徴とする請求項９に記載の方法。
【請求項１２】
前記ヘッダ情報は（ａ）添付者の名前、（ｂ）添付者の電子メールアドレス、（ｃ）添付者が人の場合はその人のイニシャルのいずれかによって前記添付者を特定することを特徴とする請求項９に記載の方法。
【請求項１３】
（ｉ）前記添付ファイルのファイル名と（ii）前記添付者を別途特定する前記ヘッダ情報とを、ウィンドウに同時に表示するステップであって、前記添付者を別途特定する前記ヘッダ情報は、前記ウィンドウ内のカーソルが表示中の前記添付ファイルのファイル名上に置かれたときマウスオーバーにより表示されるステップをさらに有することを特徴とする請求項９に記載の方法。
【請求項１４】
（ｉ）前記添付ファイルのファイル名と（ii）前記添付者を別途特定する前記ヘッダ情報とをウィンドウに同時に表示するステップであって、表示されたファイル名がコラプスアップすると、前記添付者を別途特定する前記ヘッダ情報が消えるステップをさらに有することを特徴とする請求項９に記載の方法。
【請求項１５】
前記添付ファイルは前記添付者と前記メッセージの対象受信者によって処理されている文書を表すワードプロセッサファイルであることを特徴とする請求項９に記載の方法。
【請求項１６】
加入者のクライアントプログラムから通信サービスが受け取ったメッセージを処理するステップと、
添付ファイルに関連した前記メッセージに添付ファイルを挿入するよう要求した添付者を特定する第２の欄を前記メッセージに付け加えるステップと、
から構成され、前記メッセージは１つ以上のルータで相互接続された複数のネットワーク用のメッセージングプロトコルに従って送ろうとするメッセージであり、かつ前記メッセージは前記加入者からの添付ファイルと、発信者を前記加入者として特定する第１欄と、前記メッセージの対称受信者のデータネットワークアドレスを特定する宛先欄とを含み、前記添付ファイルはメッセージ内において前記第１欄、第２欄、および宛先欄の外にあることを特徴とする機械で実施する通信のための方法。
【請求項１７】
前記メッセージは（ｉ）先行発信者からの前記の添付ファイルとは別の添付ファイルと（ii）前記先行発信者を前記別の添付ファイルを挿入した別の発信者として特定する情報と、
から成ることを特徴とする請求項１６に記載の方法。
【請求項１８】
前記メッセージを処理するステップと前記第２欄を付け加えるステップは、１つ以上のネットワーク化されたサーバマシンにより構成され、かつ前記通信サービスのプロバイダによって管理されているサーバネットワークにより実行されることを特徴とする請求項１６に記載の方法。
【請求項１９】
前記通信サービスは、前記加入者にメールボックス記憶手段を提供する電子メールサービスであることを特徴とする請求項１８に記載の方法。
【請求項２０】
前記通信サービスは、前記加入者に電子メールによりインバウンドとアウトバウンドのファクシミリサービスを提供する統合メッセージングサービスであることを特徴とする請求項１８に記載の方法。
【請求項２１】
前記添付ファイルと、前記第１欄と第２欄と、前記宛先欄を含む前記メッセージを、メール転送プロトコル（ＳＭＴＰ）に従って複数のネットワーク内の次のホップへ送るステップをさらに有することを特徴とする請求項１８に記載の方法。
【請求項２２】
前記プロバイダはウェブポータル企業であることを特徴とする請求項１８に記載の方法。
【請求項２３】
前記添付ファイルと、前記第１欄と、前記第２欄と、前記宛先欄を含む前記メッセージを次のホップから受け取り、次いで、前記対象受信者のクライアント側ユーザインタフェースを前記対象受信者がアクセスしているウェブサーバを介して制御して前記第１欄と第２欄から取り出した情報を表示するステップをさらに有することを特徴とする請求項２１に記載の方法。
【請求項２４】
１つ以上のルータで相互接続された複数のネットワーク用のメッセージングプロトコルにしたがって送り届けようとするユーザエージェントからのメッセージを処理するステップと、
前記添付ファイルを前記メッセージに挿入するよう要求した添付者を特定し、前記添付ファイルに関連した前記メッセージの第３ヘッダ欄に記入するステップと、
から構成され、前記メッセージは添付ファイルと、発信者を特定する第１ヘッダ欄と、受信者を特定する第２ヘッダ欄を有することを特徴とする機械で実施する通信のための方法。
【請求項２５】
前記処理するステップと前記記入するステップはメール転送エージェントにより実行されることを特徴とする請求項２４に記載の方法。
【請求項２６】
添付者からの添付ファイルと、添付ファイルに関連する前記メッセージの発信者を特定する第１ヘッダ欄と、前記添付者を特定する第２ヘッダ欄を含み、かつメッセージングプロトコルに従って処理されるメッセージについての情報を受け取るステップと、
前記受け取った情報を前記メッセージの対象受信者に提示するステップと、
から構成され、前記受け取った情報は前記第１欄と第２欄から取り出すことを特徴とする機械で実施する通信のための方法。
【請求項２７】
前記メッセージはメッセージの受信者を特定する第３ヘッダ欄を有し、前記第２欄はＸヘッダ欄であることを特徴とする請求項２６に記載の方法。
【請求項２８】
前記情報は、前記添付ファイルに関連する添付者を参照して、前記メッセージの第２欄を本質的に解釈することができるクライアントプログラムにより受け取られ、かつ提示されることを特徴とする請求項２６に記載の方法。
【請求項２９】
前記情報は、前記添付ファイルに関連する添付者を参照して、前記メッセージの第２欄を解釈するための命令を前記メッセージを処理したメッセージングサービスのプロバイダから受けたクライアントプログラムによって受け取られ、かつ提示されることを特徴とする請求項２６に記載の方法。
【請求項３０】
前記対象受信者は前記プロバイダのメッセージングサービスの有償加入者であることを特徴とする請求項２９に記載の方法。
【請求項３１】
前記受信者が加入している前記メッセージングサービスは、前記メッセージのホスト記憶部を含むことを特徴とする請求項３０に記載の方法。
【請求項３２】
１つ以上のルータで相互接続された複数のネットワーク用のメッセージングプロトコルに従って処理されるメッセージのヘッダ部分から情報受け取るステップと、
受け取った前記情報を前記メッセージの対象受信者に提示するステップと、
から構成され、前記メッセージは添付者からの前記ヘッダ部分と添付ファイルを含み、前記受け取った情報（１）は前記メッセージの発信者を特定し、前記添付者を特定するとともに、前記添付者と前記添付ファイルと関連づけることを特徴とする機械で実行される通信のための方法。
【請求項３３】
前記メッセージは転送されたメッセージであることを特徴とする請求項３２に記載の方法。
【請求項３４】
前記メッセージはさらに別の添付ファイル含み、かつ前記受け取った情報は前記別の添付ファイルの別の添付者を別途特定することを特徴とする請求項３３に記載の方法。
【請求項３５】
前記受け取った情報は、前記メッセージに関連する２以上の発信者をさらに特定することを特徴とする請求項３３に記載の方法。
【請求項３６】
受け取った前記情報は（ａ）添付者の名前と（ｂ）添付者が人の場合はその人のイニシャルのいずれか１つによって前記添付者を特定することを特徴とする請求項３２に記載の方法。
【請求項３７】
前記メッセージは複数の異なるそれぞれの添付者からの複数の添付ファイルを含み、前記受け取った情報は前記複数の各添付者に関する固有の属性を含み、前記固有の属性は画面上前記複数の各アイコンのすぐ近傍に表示されることにより対象受信者に提示されることを特徴とする請求項３２に記載の方法。
【請求項３８】
前記対象受信者に提示された情報はすべて画面上１行に表示され、発信者名、送信日、件名、添付ファイル記号を含み、前記受け取った情報から得られる前記添付者の固有の属性は、前記対象受信者が前記添付ファイル記号を選択するのに応じて表示されることを特徴とする請求項３２に記載の方法。
【請求項３９】
前記対象受信者に知らされる情報は、前記１行に表示されるメッセージサイズをさらに含むことを特徴とする請求項３８に記載の方法。
【請求項４０】
前記メッセージは複数の異なるそれぞれの添付者からの複数の添付ファイル含み、前記受け取った情報は複数の各添付者についての固有の属性を含み、前記固有の属性がオーディオ再生により対象受信者に提示されることを特徴とする請求項３８に記載の方法。
【請求項４１】
前記受け取った情報はクライアント電子メールプログラムにより前記対象受信者に提示されることを特徴とする請求項３７に記載の方法。
【請求項４２】
前記受け取った情報はメールボックスサービスとのクライアントのウェブブラウザ・インタフェースを介して前記対象受信者に提示されることを特徴とする請求項３７に記載の方法。
【請求項４３】
前記添付ファイルは、前記添付者と前記メッセージの前記対象受信者が処理中の文書を表すワードプロセッサファイルであることを特徴とする請求項３２に記載の方法。